(57)【要約】【課題】使用の安全性と使用の容易さという要求の良好な妥協策を提供するようなタイプの鋸を提供することが本発明の目的である。【解決手段】本発明の鋸は、テーブルと、そのテーブルの旋回支軸と、その旋回支軸に枢動可能に設けられる鋸刃組立体と、その鋸刃組立体に軸着される鋸刃と、その鋸刃を駆動するためのモータと、その鋸刃の上方及び下方部分を覆うために鋸刃組立体に枢動可能に設けられる上方及び下方ガードと、旋回支軸及び上方ガードに枢動可能に設けられる平行四辺形レバーと、下方ガードと協働する平行四辺形レバーの延長部とを具備し、延長部は下方ガードと係合して鋸刃組立体の枢動を妨げ、下方ガードを開放するための手段が設けられ、静止位置から鋸刃組立体が枢動することで下方ガードと延長部とが係合されて下方ガードが更に開放される。【選択図】図１
2006055996.tif 000002
【特許請求の範囲】
【請求項１】
テーブルと、該テーブルの旋回支軸と、該旋回支軸に対して枢動可能に設けられる鋸刃組立体と、該鋸刃組立体に軸着される鋸刃と、該鋸刃を駆動するためのモータと、前記鋸刃の上方部分を覆うために前記鋸刃組立体に対して枢動可能に設けられる上方ガードと、前記鋸刃の下方部分を覆うために前記鋸刃組立体に対して枢動可能に設けられる下方ガードと、前記旋回支軸に対して前記鋸刃組立体の全ての枢動位置における旋回支軸に対して前記上方ガードの向きを維持するために前記旋回支軸及び前記上方ガードに枢動可能に設けられる平行四辺形レバーと、前記下方ガードと協働する前記平行四辺形レバーの延長部とを具備し、該延長部は、前記旋回支軸に対する前記鋸刃組立体の持上げられた静止位置及び前記鋸刃に対する前記下方ガードの閉鎖位置において、前記下方ガードと係合し且つ前記旋回支軸に対する前記鋸刃組立体の枢動を妨げ、前記延長部との当接を除くのに十分な範囲で前記下方ガードを開放するための手段が設けられ、前記持上げられた静止位置から前記鋸刃組立体が続いて枢動することによって、前記下方ガードと前記延長部とが係合されて前記下方ガードが更に開放されるようにした鋸。
【請求項２】
前記下方ガードが前記延長部によって係合されるフランジを具備し、前記ガード開放手段が該フランジを回転して前記延長部との当接を除き、該フランジは、前記下方ガードを更に回転し且つ開放するために前記鋸刃組立体が続いて枢動する際に前記延長部によって係合されるカム面を有する請求項１に記載の鋸。
【請求項３】
前記延長部と前記フランジとが典型的に設置されるワークピースに必要なだけ前記下方ガードを開放するように十分に協働して、このようなワークピースと前記下方ガードとの接触を避け、該下方ガードは典型的ではないワークピースと接触して更に開放することが可能である請求項２に記載の鋸。
【請求項４】
前記下方ガードを開放するための前記手段が、前記延長部との当接から前記フランジを引っ込めるのに十分な初期量だけ前記下方ガードを開放するために前記下方ガードと接続されるアクチュエータレバーを具備する請求項２又は請求項３に記載の鋸。
【請求項５】
前記アクチュエータレバーは、前記下方ガードが該アクチュエータレバーを最初に作動することなく開放されないように前記下方ガードと係合する手段を有する請求項４に記載の鋸。
【請求項６】
前記アクチュエータレバーは、該アクチュエータレバーが前記下方ガードを外すまで前記下方ガードが開放されないように、僅かなゆるみを有するケーブルによって前記下方ガードに接続される請求項５に記載の鋸。
【請求項７】
前記ケーブルは前記アクチュエータレバーの穴を通り、前記下方ガードに取り付けられるので、該下方ガードは、前記フランジの前記延長部又はワークピースとの開放接触によって前記下方ガードが更に開放される時に前記穴と通って前記ケーブルを押す請求項６に記載の鋸。
【請求項８】
前記鋸刃組立体は、前記モータを備えるハウジングと、該ハウジングの壁に配置される軸とを具備し、中空スピンドルは前記ハウジングの１つの側に前記軸の周りでの回転可能に軸着され且つ前記鋸刃を保持する前記請求項のいずれか１つに記載の鋸。
【請求項９】
前記下方ガードが前記ハウジングの他の側の前記軸に取り付けられる請求項８に記載の鋸。
【請求項１０】
前記ハウジングは前記スピンドルの周りで円筒形部分と有し、前記下方ガードは該円筒形部分に支持されるカップの形状をした部分を有する請求項９に記載の鋸。
【請求項１１】
前記上方ガードが前記ハウジングの前記壁に対して前記下方ガードを越えて前記軸に取り付けられる請求項９又は請求項１０に記載の鋸。
【請求項１２】
前記モータが前記スピンドルを囲むベルトを通して前記スピンドルを駆動する請求項８から請求項１１のいずれか１つに記載の鋸。
【発明の詳細な説明】
【技術分野】
【０００１】
本発明はチョップ型鋸装置に関するものである。本発明は、テーブルと、そのテーブルの旋回支軸と、その旋回支軸に対して枢動軸線の周りで枢動可能に設けられる鋸刃組立体とを具備するタイプの丸鋸に関するものであり、モータ駆動鋸刃を保持する鋸刃組立体はテーブルに支持されるワークピースを切断することが可能である。
【背景技術】
【０００２】
このような鋸は公知であり、特許文献１及び特許文献２のような公開特許書類に記述されている。これらの鋸は有用であり、これら構成の清潔さや安全性に加えて、性能、能力及び効率を改善するために強化するための多くの可能性を有する。一方では、これら全ての特徴によって、複雑になり、費用がかさみ、鋸のユーザーにとって使いづらいものとなってしまう。
【０００３】
上記の両方の特許文献１と特許文献２には、鋸刃組立体が鋸刃のための上方ガードと下方ガードとを具備するような鋸が記述されている。上方ガードは鋸刃組立体のハウジングから形成され且つそのハウジングに形成され、鋸刃の頂部を永久に覆う。鋸刃の底部は下方ガードによって覆われるが、この下方ガードは切断工程を行う必要がある時には使用に際して引き込まれて鋸刃を露出しなければならない。
【０００４】
ハンドルは上方ガード又はハウジングに配置されており、ユーザーはそのハンドルによって鋸刃組立体を上下に枢動し、テーブルに支持されるワークピースの切断工程を行うことが可能である。
【０００５】
下方ガードは、そのハンドルに配置された作動レバーによって完全に開放される。一方では、下方ガードは鋸刃組立体の枢動によって自動的に開放され、この目的で下方ガードと旋回支軸との間に接続が提供される。更に一方では、下方ガードはこれらの構成のいずれかによって部分的に開放され、ワークピースと直接接触することによって更に開放される。これらのいずれも理想的ではなく、又は全ての望まれる可能性に及ばない。特に、ワークピースを切断するのに必要なだけガードを開放することが望ましく、さもなければ危険な鋸刃が不必要に露出されてしまう。いかなる場合においても、次の２つの安全特徴を提供することが望ましい（実際には幾つかの法域では必須である）。第１に、鋸の適切な操作なくして開放されないような下方ガードのロックであり、第２に、ロックを解放することを含む適切な操作なくして静止位置から下方へ枢動できないような鋸刃組立体のロックである。
【特許文献１】欧州特許第０１３３６６６号明細書
【特許文献２】欧州特許第０４５０４００号明細書
【発明の開示】
【発明が解決しようとする課題】
【０００６】
使用の安全性と使用の容易さというしばしば矛盾する要求の良好な妥協策を提供するような上記のタイプの鋸を提供することが本発明の目的である。
【課題を解決するための手段】
【０００７】
本発明に従うと、テーブルと、そのテーブルの旋回支軸と、その旋回支軸に対して枢動可能に設けられる鋸刃組立体と、その鋸刃組立体に軸着される鋸刃と、その鋸刃を駆動するためのモータと、鋸刃の上方部分を覆うために鋸刃組立体に対して枢動可能に設けられる上方ガードと、鋸刃の下方部分を覆うために鋸刃組立体に対して枢動可能に設けられる下方ガードと、旋回支軸に対して鋸刃組立体の全ての枢動位置における旋回支軸に対する上方ガードの向きを維持するために旋回支軸及び上方ガードに対して枢動可能に設けられる平行四辺形レバーと、下方ガードと協働する平行四辺形レバーの延長部とを具備し、延長部は、旋回支軸に対する鋸刃組立体の持上げられた静止位置及び鋸刃に対する下方ガードの閉鎖位置において、下方ガードと係合し且つ旋回支軸に対する鋸刃組立体の枢動を妨げ、延長部との当接を除くのに十分な範囲で下方ガードを開放するための手段が設けられ、持上げられた静止位置から鋸刃組立体が続いて枢動することによって、下方ガードと延長部とが係合されて下方ガードが更に開放されるようにした鋸が提供される。
【０００８】
好ましくは、下方ガードは延長部によって係合されるフランジを具備し、そのガード開放手段はフランジを回転して延長部との当接から外れ、フランジは鋸刃組立体が続いて枢動する際に延長部によって係合されて更に下方ガードを回転しその下方ガードを開放するカム面を有する。
【０００９】
好ましくは、延長部とフランジとが典型的に設置されるワークピースに必要なだけ下方ガードを開放しるのに十分に協働してそのようなワークピースと下方ガードとの接触を避け、下方ガードは典型的でないワークピースと接触して更に開放することが可能である。
【００１０】
好ましくは、下方ガードを開放するための手段は、延長部の当接からフランジを引っ込めるのに十分な初期量だけ下方ガードを開放するために下方ガードと接続されるアクチュエータレバーを具備する。
【００１１】
好ましくは、そのアクチュエータレバーは、最初にアクチュエータレバーを作動することなく下方ガードが開放されてしまわないように下方ガードと係合する手段を有する。
【００１２】
故に、上記の構成は２つの安全特性を提供する。第１は、下方ガードが最初にアクチュエータレバーの作動なしで開放されることがない。従って、鋸が持上げられた静止位置にある時に下方ガードを意図的でなく且つ不注意に操作してしまうことによって生じる事故が避けられる。第２に、鋸刃組立体は、フランジと当接する延長部によって形成されるロックが解放されるまでは下方へ枢動されない。これはアクチュエータレバーを作動することによって下方ガードを開放することによってのみ達成される。これは安全特性であるだけでなく、使用においてはワークピースを鋸刃組立体で切断する前に、ワークピースと下方ガードとの接触を避けるために下方ガードが開放されることが望ましい。
【００１３】
好ましくは、アクチュエータレバーは僅かなゆるみを有するケーブルによって下方ガードに接続されて、下方ガードはアクチュエータレバーが下方ガードを外すまで開放されない。好ましくは、ケーブルはアクチュエータレバーの穴を通り且つ下方ガードに取り付けられるので、下方ガードは、下方ガードがフランジの延長部又はワークピースとの開放接触によって更に開放される時に、穴を通ってケーブルを押す。
【００１４】
好ましくは、鋸刃組立体は、モータを備えるハウジングと、そのハウジングの壁に配置される軸とを具備し、中空スピンドルがそのハウジングの１つの側の軸の周りで回転可能に軸着され且つ鋸刃を保持する。下方ガードは鋸刃の他側の軸に取り付けられる。好ましくは、そのハウジングはスピンドルの周りに円筒形部分を有し、下方ガードはその円筒形部分に支持されるカップの形状をした部分を有する。
【００１５】
好ましくは、上方ガードはハウジングの壁に対して下方ガードを越えて軸に取り付けられる。モータはスピンドルを囲むベルトを介してスピンドルを駆動する。
【００１６】
これは組立が容易な特別コンパクトな自己支持構造を提供する。
【発明を実施するための最良の形態】
【００１７】
本発明は一致した図面を参照しながら例のみによって以下に説明される。
【００１８】
図９を参照してみると、本発明に従った鋸１０は旋回支軸１４を有するテーブル１２を具備し、その旋回支軸１４に対して鋸刃組立体１６が軸線１８の周りで枢動可能に設けられる。
【００１９】
鋸刃組立体１６は回転軸線２４を有するモータ２２（図２も参照）を備えるハウジング２０を具備する。そのモータ２２はベルト３０駆動接続を介して軸線２８の周りでハウジング２０に取り付けられる丸鋸刃２６を駆動する。
【００２０】
上方ガード３２はハウジング２０に軸線２８の周りで枢動可能に設けられる。その上方ガード３２は両端部において軸線３６、３８の周りで枢動可能に設けられる平行四辺形レバー３４によって旋回支軸１４に接続される。軸線３６、３８及び１８、２８を結ぶ線は平行である。
【００２１】
下方ガード４０も同様にハウジング２０に軸線２８の周りで枢動可能に設けられる。その下方ガード４０は以下で更に説明される手段によって開放され、鋸刃２６を露出する。露出されると、鋸刃組立体１６は軸線１８の周りで下方へ枢動してフェンス４２に接してテーブル１２に支持されるワークピース（図示せず）を鋸刃２６によって切断することが可能である。テーブル１２は溝（図３参照）を有し、鋸刃２６は溝を通って鋸刃組立体１６は図１２に示される位置へ下方へ枢動する。
【００２２】
平行四辺形レバー３４は、旋回支軸１４に対して、従ってテーブル１２に対して上方ガード３２の向きを維持する。
【００２３】
図１から図４において、ハウジング２０はそのハウジング２０の壁４８の穴４６を通る鋸刃軸４４を備える。その軸４４はその軸４４のフランジ５６とナット５８との間でハウジング２０に接して把持される。
【００２４】
駆動スピンドル６０はベアリング６２を介して軸４４に回転可能に軸着されるスリーブを具備する。ベアリング６２は初めに、それらベアリング６２がフランジ５６に当接するまで、中間スペーサ６３と共に軸４４で摺動する。そのベアリング６２はサークリップ６４によって所定位置に保持される。それからスリーブ６０はサークリップ６６によって所定位置に保持される前にベアリング６２とスペーサ６３とに渡って摺動される。このように形成された鋸刃組立体は、それから、ハウジング２０に挿入され且つナット５８によってボルト止めされる。
【００２５】
スリーブ６０の閉鎖端部はフランジワッシャ７０が位置されているフランジ６８を有する。鋸刃２６は、ボルト７４が鋸刃組立体を把持する前にワッシャ７０のフランジ７２に位置される。
【００２６】
スピンドル６０、従って鋸刃２６はベアリング６２の周りにあるベルト３０によって駆動されるので、ベアリング６２の負荷が完全に半径方向である。更に、ベアリング６２は鋸刃２６の近くにあるので、ワークピースと鋸刃とが接触することによって生じる側力は最小限にされる。
【００２７】
モータ２２は図２及び図４に示されており、ベアリング２３を介してハウジング２０に軸着される出力シャフト２１を有する。プーリ２５がシャフト２１にあり、その周りにベルト３０が通される。
【００２８】
ハウジング２０は、ベルト３０とスリーブ６０とを囲みながら、（枢動軸線１８における）旋回支軸１４（図９参照）と、（軸線２４における）モータ２２と、軸４４との間に延在する。ガード７６は鋸刃２６の後方部分を覆い、且つ後方に導かれた塵を収集するシュート７７へ開放する。
【００２９】
ハウジング２０はスリーブ６０の周りでは円筒形であり、下方ガード４０の一部である円筒形カップ７８の一部を回転可能に支持する。カップ７８はその基部にシャフト４４が通る穴８０を有する。そのカップ７８は上方ガード３２のスリーブ８２によって所定位置に保持される。スリーブ８２も同様にシャフト４４に回転可能に支持され、スリーブ８２とカップ７８とをシャフト４４のショルダー８６に接して保持するナット８４によって保持される。
【００３０】
下方ガード４０は鋸刃２６の下方部分を覆う切片部分３９を有する。図１においては鋸刃２６を露出している開放位置が破線で示されており、これから切片部分３９が鋸刃２６に対してハウジング７６の外側にあるのが分かる。
【００３１】
下方ガード４０は、初めにカップ７８の周りに巻かれ且つ参照番号９０において終端するケーブル８８によって開放され、そのケーブル８８はシャフト４４の周りでカップ７８と下方ガード４０とを回転する。そのケーブル８８の他端部は上方ガード３２の一部を形成するハンドル９２に対して参照番号９５の点において枢動可能に設けられるアクチュエータレバー９４の穴（図５から図８参照）を通る。
【００３２】
下方ガード４０は、上方ガード３２とカップ７８のフランジ１００との間に延びるバネ９８によって（図５に示されている）閉鎖位置で付勢されている。
【００３３】
アクチュエータレバー９４は、カップ７８のストッパ１０４と係合する延長部１０２を有する。下方ガード４０は延長部１０２がストッパ１０４から引き込まれるまで開放されない。これはアクチュエータレバー９４の最初の動きの間に起こり、この位置は図６に示されている。
【００３４】
ケーブル８８は穴９２を自由に通る。しかしながら、図６に示される位置においては、図５から図８の参照番号９１で示されるケーブル８８の他端部は穴９２と係合する。その後、アクチュエータレバー９４が更に枢動することによってケーブル８８に張力が与えられ、図７で示されるようにバネ９８に張力を与えながら下方ガード４０を開放し始める。
【００３５】
図７は、下方ガード４０が部分的にのみ開放されているけれども、アクチュエータレバー９４の完全に引っ張られた位置を示している。しかしながら、以下で更に説明される手段によって、下方ガード４０は図８で示されるように完全に開放され、この場合はケーブル８８の張力は再度解放され、穴９２を通りハンドル９６の空間へ供給される。アクチュエータレバー９４自体は図５で示される位置へバネ（図示せず）によって付勢されている。それから、図８で示される下方ガード４０の位置にあるアクチュエータを解放することでアクチュエータが図５の位置へ戻される。下方ガード４０が閉鎖位置へ戻る（以下で更に説明されるように）ことが許容されると、ストッパ１０４は延長部１０２の湾曲後方表面１０３と係合して、延長部１０２が図５で示されるロック位置へスナップ止めされる前にストッパ１０４の進路を可能にするのに十分にアクチュエータを開く。
【００３６】
図９から図１２に戻って参照すると、鋸１０は４つの位置で示されており、下方ガード４０は図５から図８で示される位置に対応した位置にある、つまり、図５は図９に対応し、図７は図１０と対応し、図８は略図１２と対応する。
【００３７】
平行四辺形レバー３４はフランジ１００の頂面１０１と当接する延長部３５を有する。構造の幾何学的分析によって、延長部３５がフランジ１００に当接している間は鋸刃組立体１６は軸線１８の周りで図９で示される位置から下方へ枢動しないことが分かる。故に、これは、図９で示されるような鋸刃組立体１６の持上げられた静止位置において、その位置に鋸刃組立体１６を保持するためのロックがあるような安全性の必要性を果たす。そのロックは図７及び図１０に示される位置へ上記のように下方ガード４０を開放することによって解放される。ここではフランジ１００は動かされて延長部３５のすぐ下から外れ、それで鋸刃組立体１６は軸線１８の周りで枢動することを許容される。
【００３８】
図１１において、鋸刃組立体１６はフェンス４２に接してテーブル１２に位置されるワークピースを切断するために、軸線１８の周りで下方へ枢動される。図１０と図１１とにおける位置の間において、延長部３５はフランジ１００のカム面１０３と係合し、それによって鋸刃組立体１６の下方への動きが更に下方ガード４０を開放する。図１２においては、下方ガード４０は完全に上方ガード３２の内側へ引き込まれる。
【００３９】
構成は、長方形断面の最も典型的なワークピースのために、下方ガード４０がワークピースと接触する前に、下方ガード４０が常に延長部３５によって開放されるが、鋸刃が危険ほどワークピースの上方及び前に露出されるようには開放しないように構成される。明らかに、幾つかの妥協策がなされるべきであり、構成は他にとってよりワークピースにとってより効率的である。しかしながら、この構成の幾何学的形状に適合しない使いづらい形状にとって、下方ガード４０は底部縁部４１のワークピースと接触することによって開放されることができる。この設備は、下方ガードがひとたび図１０の位置へ開放されると、例えば、ワークピースの形状がこれを示したならば、鋸刃組立体１６が図１１の位置にある時でさえ下方ガードが図１２のように完全に開放されえることに属する。この場合はカム面１０３は延長部３５から分離されている。
【００４０】
他方では、単にアクチュエータレバー９４を解放しただけでは完全に閉鎖された位置へ下方ガード４０は戻らない。これは、鋸刃組立体１６が十分に持ち上げられてガードフランジ１００が延長部３５の下で摺動可能な時にのみ達成される。
【００４１】
選択可能な構成が可能であり、その中でフランジ１００はカップ７８の周りでそのフランジ１００の前に周囲ラックを設けられ、延長部３５の底部１０８も同様にラックと係合し且つ下方ガード４０と平行四辺形レバー３４との間の積極的な接続を提供するために歯（図示せず）を設けられる。これは、それぞれの歯が係合すると下方ガードが開放されないという利点があるが、しかし２倍の不利な点がある。初めに、典型的な使いにくい形状のワークピースのためのキャスターに対して、下方ガード４０は鋸刃組立体１６の下降の初期の段階において全く完全に開放されるように配設されなくてはならない。これはより規則的な形状のワークピースのためのワークピースの上方及び前において望まれるよりも鋸刃のより多くの露出に導く。第２に、この手段がガード縁部４１とワークピースとの間の接触を妨げるのに幾つかのワークピースで不十分であると、鋸刃組立体１６は、下方ガード４０が鋸刃組立体１６の下方への動きがなくては開放しないので、妨害され、更なる下降が妨げられる。従って、更なるワークピースの切断は達成されない。故に延長部３５とカム面１０３との間の単一の接触を利用する最初に上記した構成は好ましい。
【００４２】
図１３から図１６は上記の構成をより詳しく示している。ここでは、延長部３５’は異なる形状である。またアクチュエータレバー９４の延長部１０２’は、それがアクチュエータの全ての状態、つまりその全ての位置において通るハンドル９６の基部の穴（図示せず）を満たすために長くなっている点で異なる。部分１０５は延長部１０２’の基部に接続され、（上方ガード３２の開口部１０７を通る）カップ７８の縁部のストッパ１０４’と係合し且つ穴９２を保持するのはこの部分である。
【００４３】
図１と図４とは図５から図８を参照して記述される下方ガードリターンバネ９８’の選択可能な構成を示している。ここでは、（特に図４を参照）、コイルバネ９８’はスリーブ８２の周りで上方ガード３２のフランジ１０９の周りに巻かれ、一端部９８ａは半径方向内側へ曲げられ且つフランジ１０９と係合し、他端部９８ｂは上方ガード３２の作動溝１１１（図１４も参照）を通り且つ下方ガードカップ７８と係合する。蓋１１３は、スリーブ８２のサークリップが蓋を保持すると同時に、所定位置にバネを保持する。
【００４４】
図１７から図２０は９８’’ａにおいて上方ガード３２に接続され、上方ガード３２の作動溝１１１’を通る下方ガードカップ７８の取っ手９８’’ｂに接続されるリターンバネ９８’’のための他の構成を示している。
【００４５】
最後に、アクチュエータレバー９４の上方で、ハンドル９６において、モータ２２を始動及び停止する始動スイッチが形成される。軸線１８の周りにおいて、鋸刃組立体１６の重量を支持するコイルバネ１１９が設けられる。
【図面の簡単な説明】
【００４６】
【図１】図１５の線Ａ−Ａに沿って見た本発明に従った鋸刃組立体の断面図である。
【図２】図１５の線Ｂ−Ｂに沿って見た本発明に従った鋸刃組立体の断面図である。
【図３】図１６の線Ｃ−Ｃに沿って見た本発明に従った鋸刃組立体の断面図である。
【図４】本発明に従った鋸刃組立体の断面図である。
【図５】本発明に従った鋸の下方ガード開放構成を示す図である。
【図６】本発明に従った鋸の下方ガード開放構成を示す図である。
【図７】本発明に従った鋸の下方ガード開放構成を示す図である。
【図８】本発明に従った鋸の下方ガード開放構成を示す図である。
【図９】本発明に従った鋸の側面図である。
【図１０】図９とは異なる位置にある本発明に従った鋸の側面図である。
【図１１】図１０とは更に異なる位置にある本発明に従った鋸の側面図である。
【図１２】図１１とは更に異なる位置にある本発明に従った鋸の側面図である。
【図１３】図４の線Ｇ−Ｇに沿って見た本発明の異なる実施例の詳細な側断面図である。
【図１４】図４の線Ｆ−Ｆに沿って見た図１３と異なる位置にある本発明の異なる実施例の詳細な側断面図である。
【図１５】図４の線Ｆ−Ｆに沿って見た図１４と更に異なる位置にある本発明の異なる実施例の詳細な側断面図である。
【図１６】図４の線Ｆ−Ｆに沿って見た図１５と更に異なる位置にある本発明の異なる実施例の詳細な側断面図である。
【図１７】本発明の他の実施例の上記のものと同様の図面である。
【図１８】本発明の他の実施例の上記のものと同様の図面である。
【図１９】本発明の他の実施例の上記のものと同様の図面である。
【図２０】本発明の他の実施例の上記のものと同様の図面である。
【符号の説明】
【００４７】
１０    鋸
１２    テーブル
１４    旋回支軸
１６    鋸刃組立体
１８、２８、３６、３８    軸線
２０    ハウジング
２１    出力シャフト
２２    モータ
２３    ベアリング
２４    回転軸線
２５    プーリ
２６    鋸刃
３０    ベルト
３２    上方ガード
３４    平行四辺形レバー
３５、３５’、１０２、１０２’    延長部
３９    切片部分
４０    下方ガード
４１    底部縁部
４２    フェンス
４４    鋸刃軸
４６、８０、９２    穴
４８    壁
５６、６８、７２、１００、１０９    フランジ
５８、８４    ナット
６０    駆動スピンドル
８２    スリーブ
６２    ベアリング
６３    中間スペーサ
６４、６６    サークリップ
７０    フランジワッシャ
７４    ボルト
７６    ガード
７７    シュート
７８    円筒形カップ
８６    ショルダー
８８    ケーブル
９４    アクチュエータレバー
９６    ハンドル
９８    バネ
９８’    下方ガードリターンバネ
９８’、１１９    コイルバネ
９８ａ、９８ｂ    端部
９８’’    リターンバネ
９８’’ｂ    取っ手
１０１    頂面
１０３    カム面
１０４、１０４’    ストッパ
１０５    部分
１０７    開口部
１０８    底部
１１１、１１１’    作動溝
１１３    蓋
【図１】
2006055996.tif 000003
【図２】
2006055996.tif 000004
【図３】
2006055996.tif 000005
【図４】
2006055996.tif 000006
【図５】
2006055996.tif 000007
【図６】
2006055996.tif 000008
【図７】
2006055996.tif 000009
【図８】
2006055996.tif 000010
【図９】
2006055996.tif 000011
【図１０】
2006055996.tif 000012
【図１１】
2006055996.tif 000013
【図１２】
2006055996.tif 000014
【図１３】
2006055996.tif 000015
【図１４】
2006055996.tif 000016
【図１５】
2006055996.tif 000017
【図１６】
2006055996.tif 000018
【図１７】
2006055996.tif 000019
【図１８】
2006055996.tif 000020
【図１９】
2006055996.tif 000021
【図２０】
2006055996.tif 000022